(57)【要約】【課題】アンテナを用いてＩＤを識別可能とする識別体において、所望のＩＤを識別可能な構成を特殊な装置を用いることなく容易に実現する。【解決手段】グランドパターン２０と、ベース基材１０を介してグランドパターン２０と対向して設けられ、グランドパターン２０と対向することで共振ピークが発現する複数のアンテナ１１ａ〜１１ｌとを有し、グランドパターン２０が平面視にてアンテナ１１ａ〜１１ｌを覆う形状であるとともに、アンテナ１１ａ〜１１ｌの共振周波数または偏波方向が互いに異なることでＩＤを識別可能とするものにおいて、アンテナ１１ａ〜１１ｌのうちＩＤに応じて選択される少なくとも１つのアンテナに、グランドパターン２０とは反対側にて保護層３０ａを介して追加パターン３１ａ〜３１ｆが少なくとも一部に対向配置されている。【選択図】図１
2019061515.tif 000002
【特許請求の範囲】
【請求項１】
第１の導電層と、第１の絶縁層を介して前記第１の導電層と対向して設けられ、前記第１の導電層と対向することで共振ピークが発現する複数のアンテナとを有し、前記第１の導電層が平面視にて前記アンテナを覆う形状であるとともに、該複数のアンテナの共振周波数または偏波方向が互いに異なることでＩＤを識別可能とする識別体であって、
前記複数のアンテナのうちＩＤに応じて選択される少なくとも１つのアンテナに、前記第１の導電層とは反対側にて第２の絶縁層を介して第２の導電層が少なくとも一部に対向配置されている、識別体。
【請求項２】
請求項１に記載の識別体において、
前記第１および第２の絶縁層、前記複数のアンテナ、ならびに前記第２の導電層は、前記第１の導電層の表裏にそれぞれ設けられている、識別体。
【請求項３】
請求項１または請求項２に記載の識別体において、
前記アンテナは、前記第１の導電層に対向しない状態におけるＱ値が３０以下である、識別体。
【請求項４】
請求項１乃至請求項３のいずれか１項に記載の識別体において、
前記第２の絶縁層の前記第２の導電層が設けられた面側に、前記第２の導電層を覆って印刷受理層および印刷層がこの順で配置されている、識別体。
【請求項５】
請求項１乃至４のいずれか１項に記載の識別体の製造方法であって、
前記第１の絶縁層を介して互いに対向するように前記第１の導電層と前記アンテナとをそれぞれ配置することで汎用タグを作製する工程と、
前記アンテナの前記第１の導電層とは反対側に前記第２の絶縁層を配置する工程と、
前記第２の絶縁層を介して前記アンテナと対向するように前記第２の導電層を配置する工程とを有する、識別体の製造方法。
【請求項６】
請求項５に記載の識別体の製造方法において、
前記第１の導電層および前記アンテナを、前記第１の絶縁層の表裏に導電性材料を用いた塗布法またはエッチングによりそれぞれ積層し、
前記第２の絶縁層を、前記アンテナが積層された前記第１の絶縁層上に塗布法または熱圧着により積層し、
前記第２の導電層を、前記第２の絶縁層の前記アンテナとは反対側に導電性材料を用いた熱転写により積層する、識別体の製造方法。
【発明の詳細な説明】
【技術分野】
【０００１】
本発明は、複数のアンテナの組み合わせでＩＤを識別可能とする識別体およびその製造方法に関する。
【背景技術】
【０００２】
昨今、情報化社会の進展に伴って、商品等に貼付されるラベルやタグに情報を記録し、このラベルやタグを用いて商品等の管理が行われている。このようなラベルやタグを用いた情報管理においては、ラベルやタグに対して非接触状態にて情報の書き込みや読み出しを行うことが可能なＩＣチップが搭載された非接触型ＩＣラベルや非接触型ＩＣタグ等のＲＦＩＤ技術を利用した識別体がその優れた利便性から急速な普及が進みつつある。
【０００３】
このようなＲＦＩＤ技術を利用した識別体としては、上述したようにＩＣチップが搭載されたものに限らず、共振周波数が互いに異なる複数のアンテナを有し、ＩＣチップを用いずに複数のアンテナの組み合わせでＩＤを識別可能とするものも考えられている。例えば、複数のアンテナを構成する誘電子要素とコンデンサ要素の形状を異ならせたり、複数のアンテナの形状や向きを異ならせたりして共振周波数を複数のアンテナ毎に異ならせ、そのアンテナの組み合わせでＩＤを表現可能とする技術が、特許文献１に開示されている。この技術を用いれば、アンテナの数をＮ個とした場合、１つのアンテナの有無によって“１”，“０”の２つの情報を持たせることができ、また、全てのアンテナが無い場合を除いて、（２N−１）個のＩＤを識別可能に表現することができる。
【０００４】
ところで、上述したように共振周波数が互いに異なるアンテナの有無によってＩＤを識別可能に表現する場合、共振周波数が互いに異なるアンテナをＩＤに応じて可変印刷することとなるが、可変印刷は固定印刷に比べて印刷精度が低いため、印刷によって形成されるアンテナの寸法がそのアンテナの共振周波数に応じたものとならず、それにより、アンテナの共振周波数が設定されたものとは異なり、ＩＤを正確に生成することができなくなる虞れがある。
【０００５】
ここで、互いに分離された複数の配線セグメントを固定印刷であるアナログ印刷によって形成しておき、所望の配線セグメント間に接続セグメントを可変印刷であるデジタル印刷によって追加して形成することで所望の配線セグメントを接続し、それにより、アンテナの形状を異ならせる技術が、特許文献２に開示されている。そこで、この技術を用いることにより、共振周波数が互いに異なるアンテナを精度良く形成することができるようになる。
【先行技術文献】
【特許文献】
【０００６】
【特許文献１】特公平７−８０３８６号公報
【特許文献２】特許第５５０１６０１号公報
【発明の概要】
【発明が解決しようとする課題】
【０００７】
ところで、上述したように複数のアンテナの形状や向きをＩＤに応じて異ならせることで複数のＩＤを識別可能とするものにおいては、エンドユーザ側にて、自社が管理するＩＤに応じてアンテナの形状などの加工を行いたいと考える場合がある。
【０００８】
しかしながら、特許文献１に開示された技術においては、形状が異なるアンテナそのものを形成するため、ＩＤに応じて後からアンテナを加工することが困難であるという問題点がある。特に、カード化するためにアンテナ上に保護層等が積層されたものにおいては、その後にアンテナを加工することはできない。
【０００９】
また、特許文献２に開示された技術においては、配線セグメントを形成し、その後、所望の配線セグメント間に接続セグメントを追加して形成することになるため、配線セグメントを乾燥させるための高温の乾燥炉が必要となり、所望のＩＤに応じた加工を容易に行うことができないという問題点がある。
【００１０】
本発明は、上述したような従来の技術が有する問題点に鑑みてなされたものであって、アンテナを用いてＩＤを識別可能とする識別体において、所望のＩＤを識別可能な構成を特殊な装置を用いることなく容易に実現することができる識別体およびその製造方法を提供することを目的とする。
【課題を解決するための手段】
【００１１】
上記目的を達成するために本発明は、
第１の導電層と、第１の絶縁層を介して前記第１の導電層と対向して設けられ、前記第１の導電層と対向することで共振ピークが発現する複数のアンテナとを有し、前記第１の導電層が平面視にて前記アンテナを覆う形状であるとともに、該複数のアンテナの共振周波数または偏波方向が互いに異なることでＩＤを識別可能とする識別体であって、
前記複数のアンテナのうちＩＤに応じて選択される少なくとも１つのアンテナに、前記第１の導電層とは反対側にて第２の絶縁層を介して第２の導電層が少なくとも一部に対向配置されている。
【００１２】
上記のように構成された本発明においては、複数のアンテナの共振周波数または偏波方向が互いに異なるため、複数のアンテナそれぞれの共振周波数や偏波方向における共振ピークが検出されるかどうかでアンテナの数分の個別ＩＤからなるＩＤが識別可能となる。その際、第１の導電層に対向配置されることで共振ピークが発現する複数のアンテナのうち、第１の導電層とは反対側にて第２の導電層が少なくともその一部にて対向しているアンテナにおいては共振ピークが検出されなくなるが、第２の導電層が、複数のアンテナのうちＩＤに応じて選択される少なくとも１つのアンテナに、第１の導電層とは反対側にて第２の絶縁層を介して対向配置された構成となっているので、第１の導電層と、第１の絶縁層を介して第１の導電層と対向して設けられ、第１の導電層と対向することで共振ピークが発現する複数のアンテナとを有し、第１の導電層が平面視にてアンテナを覆う形状である汎用タグに対して、その後に、複数のアンテナのうちＩＤに応じて選択される少なくとも１つのアンテナに、第１の導電層とは反対側にて第２の絶縁層を介して第２の導電層を対向配置することで、所望のＩＤを識別可能な構成を容易に実現することができる。
【００１３】
また、第１および第２の絶縁層、複数のアンテナ、ならびに第２の導電層が、第１の導電層の表裏にそれぞれ設けられていれば、表裏のいずれからも独立してＩＤを識別することができる。
【００１４】
上記のようなアンテナとしては、第１の導電層に対向しない状態におけるＱ値が３０以下であれば、第１の導電層に対向することで、Ｑ値が３０以上となる鋭い共振ピークを発現させることができる。
【００１５】
また、第２の絶縁層の前記第２の導電層が設けられた面側に、第２の導電層を覆って印刷受理層および印刷層がこの順で配置されることで、表面に情報が表示されたカードとして利用することができる。
【００１６】
上記のように構成された識別体は、第１の絶縁層を介して互いに対向するように第１の導電層とアンテナとをそれぞれ配置することで汎用タグを作製し、その後、アンテナの第１の導電層とは反対側に第２の絶縁層を配置した上で、第２の絶縁層を介してアンテナと対向するように第２の導電層を配置することで、製造することが考えられる。
【００１７】
例えば、第１の導電層およびアンテナを、第１の絶縁層の表裏に導電性材料を用いた塗布法またはエッチングによりそれぞれ積層し、第２の絶縁層を、アンテナが積層された第１の絶縁層上に塗布法または熱圧着により積層し、第２の導電層を、第２の絶縁層のアンテナとは反対側に導電性材料を用いた熱転写により積層することが考えられる。
【発明の効果】
【００１８】
本発明によれば、第２の導電層が、複数のアンテナのうちＩＤに応じて選択される少なくとも１つのアンテナに、第１の導電層とは反対側にて第２の絶縁層を介して対向配置された構成となっているため、第１の導電層と、第１の絶縁層を介して第１の導電層と対向して設けられ、第１の導電層と対向することで共振ピークが発現する複数のアンテナとを有し、第１の導電層が平面視にてアンテナを覆う形状である汎用タグに対して、その後に、複数のアンテナのうちＩＤに応じて選択される少なくとも１つのアンテナに、第１の導電層とは反対側にて第２の絶縁層を介して第２の導電層を対向配置することで、アンテナを用いてＩＤを識別可能とする識別体において、所望のＩＤを識別可能な構成を特殊な装置を用いることなく容易に実現することができる。
【００１９】
また、第１および第２の絶縁層、複数のアンテナ、ならびに第２の導電層が、第１の導電層の表裏にそれぞれ設けられているものにおいては、表裏のいずれからも独立してＩＤを識別することができる。
【００２０】
また、第２の絶縁層の前記第２の導電層が設けられた面側に、第２の導電層を覆って印刷受理層および印刷層がこの順で配置されているものにおいては、表面に情報や模様等が表示されたカードとして利用することができる。
【図面の簡単な説明】
【００２１】
【図１】本発明の識別体の第１の実施の形態を示す図であり、（ａ）は表面図、（ｂ）は（ａ）に示したＡ−Ａ’断面図、（ｃ）はベース基材の保護層との積層面の構成を示す図である。
【図２】図１に示したＩＤタグの製造方法を説明するための断面図である。
【図３】図１に示したＩＤタグの周波数特性を示す図である。
【図４】本発明の識別体の第２の実施の形態を示す図であり、（ａ）は表面図、（ｂ）は（ａ）に示したＡ−Ａ’断面図、（ｃ）はベース基材の保護層との積層面の構成を示す図である。
【図５】本発明の識別体の第３の実施の形態を示す図であり、（ａ）は表面図、（ｂ）は（ａ）に示したＡ−Ａ’断面図、（ｃ）は（ａ）に示したＢ−Ｂ’断面図、（ｄ）は裏面図である。
【図６】図５に示したＩＤタグにおけるベース基材の保護層との積層面の構成を示す図である。
【発明を実施するための形態】
【００２２】
以下に、本発明の実施の形態について図面を参照して説明する。
【００２３】
（第１の実施の形態）
図１は、本発明の識別体の第１の実施の形態を示す図であり、（ａ）は表面図、（ｂ）は（ａ）に示したＡ−Ａ’断面図、（ｃ）はベース基材１０の保護層３０ａとの積層面の構成を示す図である。
【００２４】
本形態における識別体は図１に示すように、ベース基材１０の両面が保護層３０ａ，３０ｂによって覆われてなるＩＤタグ１である。
【００２５】
ベース基材１０は、本願発明における第１の絶縁層となるものであって、２００〜３００μｍ程度の厚みを有する絶縁性材料からなる。絶縁性材料としては、ＰＥＴ等の樹脂フィルム等が考えられるが、誘電正接が小さなものが好ましい。
【００２６】
ベース基材１０の保護層３０ａとの積層面には、１２個のアンテナ１１ａ〜１１ｌが積層されている。アンテナ１１ａ〜１１ｌはそれぞれ、例えば１８μｍ程度の厚さを有し、互いに直交する２つの直線部がその端部にて交差するように形成されている。アンテナ１１ａ〜１１ｌは、その直線部の長さが互いに異なることで、後述するグランドパターン２０に対向した場合に共振ピークが発現する共振周波数が互いに異なるものとなっている。そして、このアンテナ１１ａ〜１１ｌを覆ってベース基材１０の一方の面の全面に保護層３０ａが積層されている。保護層３０ａは、本願発明における第２の絶縁層となるものであって、例えば１００μｍの厚さのＰＥＴ等の絶縁性材料からなり、ベース基材１０の一方の面の全面に積層されている。この保護層３０ａによって、アンテナ１１ａ〜１１ｌが摩擦等から保護されることになる。
【００２７】
保護層３０ａのベース基材１０とは反対側の面には、本願発明における第２の導電層となる６個の追加パターン３１ａ〜３１ｆが積層されている。追加パターン３１ａ〜３１ｆは、アンテナ１１ａ〜１１ｌのうちＩＤタグ１に付与されたＩＤに応じて選択されるアンテナに対向して配置されている。本形態においては、アンテナ１１ａに対向して追加パターン３１ａが配置され、アンテナ１１ｂに対向して追加パターン３１ｂが配置され、アンテナ１１ｃに対向して追加パターン３１ｃが配置され、アンテナ１１ｊに対向して追加パターン３１ｄが配置され、アンテナ１１ｋに対向して追加パターン３１ｅが配置され、アンテナ１１ｌに対向して追加パターン３１ｆが配置されている。追加パターン３１ａ〜３１ｆはそれぞれ、例えば１μｍ程度の厚さを有して積層されている。なお、追加パターン３１ａ〜３１ｆは、対向するアンテナの少なくとも一部に対向配置されていればアンテナの全て覆うように積層されている必要はない。本形態においては、追加パターン３１ａ〜３１ｆは、対向するアンテナの互いに直交する２つの直線部のうち一方を覆うように積層されている。
【００２８】
ベース基材１０の保護層３０ｂとの積層面には、その全面に第１の導電層となるグランドパターン２０が積層されている。グランドパターン２０は、アンテナ１１ａ〜１１ｌと同様に、例えば１８μｍ程度の厚さを有し、ベース基材１０の他方の面の全面に積層されることで、平面視にてアンテナ１１ａ〜１１ｌを覆う形状となっている。そして、このグランドパターン２０を覆ってベース基材１０の他方の面の全面に保護層３０ｂが積層されている。保護層３０ｂは、保護層３０ａと同様に、例えば、１００μｍの厚さのＰＥＴ等からなり、ベース基材１０の他方の面の全面に積層されている。この保護層３０ｂによって、グランドパターン２０が摩擦等から保護されることになる。なお、アンテナ１１ａ〜１１ｌおよびグランドパターン２０の厚さは、３μｍ程度であればよい。
【００２９】
以下に、上記のように構成されたＩＤタグ１の製造方法について説明する。
【００３０】
図２は、図１に示したＩＤタグ１の製造方法を説明するための断面図である。
【００３１】
図１に示したＩＤタグ１を製造する場合は、まず、ベース基材１０の一方の面の全面に、例えば銀インクを用いたスクリーン印刷によってグランドパターン２０を積層し（図２（ａ））、また、ベース基材１０の他方の面に、例えば銀インクを用いたスクリーン印刷によってアンテナ１１ａ〜１１ｌを積層する（図２（ｂ））。これらグランドパターン２０とアンテナ１１ａ〜１１ｌとは、その積層順序は問わず、同時に積層されてもよい。なお、グランドパターン２０とアンテナ１１ａ〜１１ｌは、例えば銀インクを用いたスクリーン印刷による塗布法に限らず、銅やアルミからなる導電性材料を積層することで構成してもよく、エッチングによってアンテナ１１ａ〜１１ｌを形成してもよい。また、グランドパターン２０は、ベース基材１０の一方の面の全面に積層されたものに限らず、ベース基材１０の一方の面において、アンテナ１１ａ〜１１ｌにそれぞれ対向し、平面視にてアンテナ１１ａ〜１１ｌを覆う形状に個別となるように分割された構成としてもよい。アンテナ１１ａ〜１１ｌおよびグランドパターン２０は、エッチングや固定印刷によって積層されることで、３μｍ程度の膜厚を確保することができる。アンテナ１１ａ〜１１ｌおよびグランドパターン２０の厚さが薄い場合、その抵抗値が高くなることで、後述する共振ピークを得ることができなくなってしまうが、アンテナ１１ａ〜１１ｌおよびグランドパターン２０を、エッチングや固定印刷によって積層することで、３μｍ程度の膜厚を確保することができ、それにより、共振ピークを得ることができるようになる。
【００３２】
ベース基材１０の表裏にアンテナ１１ａ〜１１ｌおよびグランドパターン２０を積層した後に焼成処理を行うことで汎用タグ２を作製し、その後、ベース基材１０の表裏にアンテナ１１ａ〜１１ｌおよびグランドパターン２０を覆って、例えば１００μｍの厚さのＰＥＴ等の絶縁性材料を塗布する塗布法やラミネートによる熱圧着によって、保護層３０ａ，３０ｂを積層する（図２（ｃ））。
【００３３】
その後、保護層３０ａのベース基材１０と反対側の面に、卓上ダイレクトプリンタによる熱転写印刷によって、例えばアルミニウムを含有したインクリボンを用いて、追加パターン３１ａ〜３１ｆを積層する（図２（ｄ））。この際、卓上ダイレクトプリンタにおいては、ＩＤタグ１の外形に対するアンテナ１１ａ〜１１ｌの位置が予め設定されており、ＩＤタグ１によって識別可能とするＩＤに応じたアンテナ１１ａ〜１１ｃ，１１ｊ〜１１ｋに対向する領域に追加パターン３１ａ〜３１ｆを積層することになる。卓上ダイレクトプリンタは、このようなＩＤに応じた可変印刷が可能なものである一方、１μｍ程度の厚さでしか印刷をすることができない。そのため、卓上ダイレクトプリンタによってアンテナ１１ａ〜１１ｌやグランドパターン２０を積層した場合、その厚さが薄いことで上述したように共振ピークを得ることができなくなってしまう。しかしながら、追加パターン３１ａ〜３１ｌにおいては、抵抗値が高くなっても、対向するアンテナの共振を阻害することは可能なため、追加パターン３１ａ〜３１ｆを卓上ダイレクトプリンタによる可変印刷で積層することで、アンテナ１１ａ〜１１ｌの共振周波数を用いたＩＤを変化させることができる。
【００３４】
なお、上述した製造方法は、ＩＤタグ１を製造するための一例であり、まず、ベース基材１０を介して互いに対向するようにグランドパターン２０とアンテナ１１ａ〜１１ｌとをそれぞれ配置することで汎用タグ２を作製しておき、その後、アンテナ１１ａ〜１１ｌのベース基材１０とは反対側に保護層３０ａを配置した上で、保護層３０ａを介してアンテナ１１ａ〜１１ｌと対向するように追加パターン３１ａ〜３１ｆを選択的に配置するものであれば、任意の工程を適用することができる。
【００３５】
以下に、上記のように製造されたＩＤタグ１の作用について説明する。
【００３６】
まず、アンテナ１１ａ〜１１ｌが、グランドパターン２０と対向することで共振ピークを発現することについて説明する。
【００３７】
Ｑ値が３０を超える鋭い共振ピークを有するアンテナにおいては、グランドパターン２０と対向した場合、共振ピークが発現しなくなる。一方、Ｑ値が３０以下である緩やかな共振ピークを有するアンテナにおいては、グランドパターン２０と対向した場合、Ｑ値が３０以上となる鋭い共振ピークが発現するようになる。このように、グランドパターン２０に対向した場合に共振ピークが発現するためには、Ｑ値が３０以下であるか、あるいは、アンテナ単体では共振ピークが発現しないものである必要がある。
【００３８】
なお、Ｑ値とは、共振ピークでの周波数をω0とし、その共振ピークよりも低周波側にて振動エネルギーが共振ピークの半値となる周波数をω1とし、共振ピークよりも高周波側にて振動エネルギーが共振ピークの半値となる周波数をω2とした場合、Ｑ＝ω0／（ω2−ω1）で表される値である。
【００３９】
そのため、図１に示したアンテナ１１ａ〜１１ｌにおいても、アンテナ１１ａ〜１１ｌ単体、すなわち、グランドパターン２０に対向しない状態におけるＱ値が３０以下であることにより、グランドパターン２０と対向することで、Ｑ値が３０以上の鋭い共振ピークが発現することになる。
【００４０】
また、ベース基材１０を介してアンテナ１１ａ〜１１ｌにグランドパターン２０が対向して設けられていることで、ベース基材１０のアンテナ１１ａ〜１１ｌとは反対側の面を手に持って使用する等、ベース基材１０のアンテナ１１ａ〜１１ｌとは反対側の面に誘電体が接触している場合でも、グランドパターン２０によって誘電体の影響が及ばなくなり、アンテナ１１ａ〜１１ｌによる共振ピークが検出されることになる。
【００４１】
次に、追加パターン３１ａ〜３１ｆによる作用について説明する。
【００４２】
図３は、図１に示したＩＤタグ１の周波数特性を説明するための図である。
【００４３】
上述したように、ベース基材１０に積層されたアンテナ１１ａ〜１１ｌは、その直線部の長さが互いに異なることで、グランドパターン２０に対向した場合に発現する共振ピークの共振周波数が互いに異なるものとなっている。例えば、アンテナ１１ａの共振周波数が最も低く、次いで、アンテナ１１ｂ、アンテナ１１ｃ、アンテナ１１ｄ、アンテナ１１ｅ、アンテナ１１ｆ、アンテナ１１ｇ、アンテナ１１ｈ、アンテナ１１ｉ、アンテナ１１ｊ、アンテナ１１ｋの順で共振周波数が高くなり、アンテナ１１ｌの共振周波数が最も高いものとする。すると、追加パターン３１ａ〜３１ｆが積層されていない汎用タグ２においては、汎用タグ２に対して電磁波を照射してその反射波を受信すると、図３中破線で示すように、その反射波において、Ａ点にてアンテナ１１ａによる共振ピークが発現し、Ｂ点にてアンテナ１１ｂによる共振ピークが発現し、Ｃ点にてアンテナ１１ｃによる共振ピークが発現し、Ｄ点にてアンテナ１１ｄによる共振ピークが発現し、Ｅ点にてアンテナ１１ｅによる共振ピークが発現し、Ｆ点にてアンテナ１１ｆによる共振ピークが発現し、Ｇ点にてアンテナ１１ｇによる共振ピークが発現し、Ｈ点にてアンテナ１１ｈによる共振ピークが発現し、Ｉ点にてアンテナ１１ｉによる共振ピークが発現し、Ｊ点にてアンテナ１１ｊによる共振ピークが発現し、Ｋ点にてアンテナ１１ｋによる共振ピークが発現し、Ｌ点にてアンテナ１１ｌによる共振ピークが発現する。そのため、Ａ点〜Ｌ点のそれぞれにおいて、共振ピークが検出された場合の個別ＩＤを“１”とし、共振ピークが検出されなかった場合の個別ＩＤを“０”とし、これらを共振周波数が低い順に並べることで、ＩＤ“１１１１１１１１１１１１”が識別されることになる。
【００４４】
一方、追加パターン３１ａ〜３１ｆが積層されたＩＤタグ１においては、ＩＤタグ１に対して電磁波を照射してその反射波を受信すると、図３中実線で示すように、アンテナ１１ａ〜１１ｌのうち追加パターン３１ａ〜３１ｆが対向しているアンテナ１１ａ〜１１ｃ，１１ｊ〜１１ｌにおいては、その共振周波数であるＡ点〜Ｃ点およびＪ点〜Ｌ点において共振ピークが検出されなくなる。そのため、Ａ点〜Ｌ点のそれぞれにおいて、共振ピークが検出された場合の個別ＩＤを“１”とし、共振ピークが検出されなかった場合の個別ＩＤを“０”とし、これらを共振周波数が低い順に並べることで、ＩＤタグ１に付与されたＩＤ“０００１１１１１１０００”が識別されることになる。
【００４５】
このように、ベース基材１０に積層されたアンテナ１１ａ〜１１ｌのうち、ＩＤタグ１に付与されたＩＤに応じて、対応する個別ＩＤが“０”となるアンテナに追加パターン３１ａ〜３１ｆを選択的に対向配置させることで、ＩＤタグ１に付与されたＩＤ“０００１１１１１１０００”を識別可能な構成とすることができ、アンテナの数をｎとした場合、２n個のＩＤを識別可能とすることができる。その際、アンテナ１１ａ〜１１ｌおよびグランドパターン２０が、ＩＤタグに付与されたＩＤによらずに一律に設けられてなる汎用タグ２を作製しておき、その後、アンテナ１１ａ〜１１ｌのうち、ＩＤタグ１に付与されたＩＤに応じて選択されるアンテナ１１ａ〜１１ｃ，１１ｊ〜１１ｌに対向して保護層３０ａ上に追加パターン３１ａ〜３１ｆを積層することになることで、アンテナを用いてＩＤを識別可能とする識別体において、所望のＩＤを識別可能な構成を特殊な装置を用いることなく容易に実現することができる。
【００４６】
（第２の実施の形態）
図４は、本発明の識別体の第２の実施の形態を示す図であり、（ａ）は表面図、（ｂ）は（ａ）に示したＡ−Ａ’断面図、（ｃ）はベース基材１０の保護層３０ａとの積層面の構成を示す図である。
【００４７】
本形態における識別体は図４に示すように、図１に示したＩＤタグ１の表裏に、印刷受理層４０ａ，４０ｂおよび印刷層５０ａ，５０ｂがそれぞれ積層されたＩＤタグ１０１である。
【００４８】
本形態のＩＤタグ１０１は、保護層３０ａのベース基材１０とは反対側の面の全面に追加パターン３１ａ〜３１ｆを覆って印刷受理層４０ａが積層された後、所定の情報が印刷されることで印刷層５０ａが積層され、また、保護層３０ｂのグランドパターン２０とは反対側の面の全面に印刷受理層４０ｂが積層された後、所定の情報が印刷されることで印刷層５０ｂが積層されている。これにより、表面に情報や模様等が表示されたカードとして利用することができる。
【００４９】
なお、本形態においては、図１に示したＩＤタグ１の表裏に、印刷受理層４０ａ，４０ｂおよび印刷層５０ａ，５０ｂがそれぞれ積層されたＩＤタグ１０１を例に挙げて説明したが、図１に示したＩＤタグ１の追加パターン３１ａ〜３１ｆが積層された面に印刷受理層４０ａおよび印刷層５０ａが積層された構成とするだけでも、表面に情報や模様等が表示されたカードとして利用することができる。
【００５０】
（第３の実施の形態）
図５は、本発明の識別体の第３の実施の形態を示す図であり、（ａ）は表面図、（ｂ）は（ａ）に示したＡ−Ａ’断面図、（ｃ）は（ａ）に示したＢ−Ｂ’断面図、（ｄ）は裏面図である。図６は、図５に示したＩＤタグ２０１の内部構造を示す図であり、（ａ）はベース基材１０ａの保護層３０ａとの積層面の構成を示す図、（ｂ）はベース基材１０ｂの保護層３０ｂとの積層面の構成を示す図である。
【００５１】
本形態における識別体は図５および図６に示すように、図１に示したものに対して、グランドパターン２０の表裏のそれぞれに、ベース基材１０ａ，１０ｂ、アンテナ１１ａ〜１１ｌ，１２ａ〜１２ｌ、保護層３０ａ，３０ｂおよび追加パターン３１ａ〜３１ｆ，３２ａ〜３２ｆが設けられている点が異なるＩＤタグ２０１である。
【００５２】
本形態のＩＤタグ２０１は、グランドパターン２０の一方の面側においては、追加パターン３１ａ〜３１ｆのアンテナ１１ａ〜１１ｌに対する配置が、図１に示したものと同様の構成となっているが、グランドパターン２０の他方の面においては、追加パターン３２ａ〜３２ｆのアンテナ１２ａ〜１２ｌに対する配置が、図１に示したものとは異なっている。なお、グランドパターン２０の一方の面側に配置されたアンテナ１１ａ〜１１ｌと、グランドパターン２０の他方の面側に配置されたアンテナ１２ａ〜１２ｌとは、対応するアンテナどうしで共振周波数が互いに同一のものとなっている。具体的には、グランドパターン２０の一方の面側に配置されたアンテナ１１ａと、グランドパターン２０の他方の面側に配置されたアンテナ１２ａとは共振周波数が同一であり、グランドパターン２０の一方の面側に配置されたアンテナ１１ｂと、グランドパターン２０の他方の面側に配置されたアンテナ１２ｂとは共振周波数が同一であり、グランドパターン２０の一方の面側に配置されたアンテナ１１ｃと、グランドパターン２０の他方の面側に配置されたアンテナ１２ｃとは共振周波数が同一であり、グランドパターン２０の一方の面側に配置されたアンテナ１１ｄと、グランドパターン２０の他方の面側に配置されたアンテナ１２ｄとは共振周波数が同一であり、グランドパターン２０の一方の面側に配置されたアンテナ１１ｅと、グランドパターン２０の他方の面側に配置されたアンテナ１２ｅとは共振周波数が同一であり、グランドパターン２０の一方の面側に配置されたアンテナ１１ｆと、グランドパターン２０の他方の面側に配置されたアンテナ１２ｆとは共振周波数が同一であり、グランドパターン２０の一方の面側に配置されたアンテナ１１ｇと、グランドパターン２０の他方の面側に配置されたアンテナ１２ｇとは共振周波数が同一であり、グランドパターン２０の一方の面側に配置されたアンテナ１１ｈと、グランドパターン２０の他方の面側に配置されたアンテナ１２ｈとは共振周波数が同一であり、グランドパターン２０の一方の面側に配置されたアンテナ１１ｉと、グランドパターン２０の他方の面側に配置されたアンテナ１２ｉとは共振周波数が同一であり、グランドパターン２０の一方の面側に配置されたアンテナ１１ｊと、グランドパターン２０の他方の面側に配置されたアンテナ１２ｊとは共振周波数が同一であり、グランドパターン２０の一方の面側に配置されたアンテナ１１ｋと、グランドパターン２０の他方の面側に配置されたアンテナ１２ｋとは共振周波数が同一であり、グランドパターン２０の一方の面側に配置されたアンテナ１１ｌと、グランドパターン２０の他方の面側に配置されたアンテナ１２ｌとは共振周波数が同一である。そして、グランドパターン２０の一方の面側においては、図１に示したものと同様に、アンテナ１１ａに対向して追加パターン３１ａが配置され、アンテナ１１ｂに対向して追加パターン３１ｂが配置され、アンテナ１１ｃに対向して追加パターン３１ｃが配置され、アンテナ１１ｊに対向して追加パターン３１ｄが配置され、アンテナ１１ｋに対向して追加パターン３１ｅが配置され、アンテナ１１ｌに対向して追加パターン３１ｆが配置されている。一方、グランドパターン２０の他方の面側においては、アンテナ１２ｄに対向して追加パターン３２ａが配置され、アンテナ１２ｅに対向して追加パターン３２ｂが配置され、アンテナ１２ｆに対向して追加パターン３２ｃが配置され、アンテナ１２ｇに対向して追加パターン３２ｄが配置され、アンテナ１２ｈに対向して追加パターン３２ｅが配置され、アンテナ１２ｉに対向して追加パターン３２ｆが配置されている。
【００５３】
このように構成されたＩＤタグ２０１においては、アンテナ１１ａ〜１１ｌおよび追加パターン３１ａ〜３１ｆが設けられた側から電磁波を照射してその反射波を受信した場合は、図１に示したものと同様に、ＩＤ“０００１１１１１１０００”が識別され、アンテナ１２ａ〜１２ｌおよび追加パターン３２ａ〜３２ｆが設けられた側から電磁波を照射してその反射波を受信した場合は、ＩＤ“１１１００００００１１１”が識別されることになる。この際、アンテナ１１ａ〜１１ｌおよび追加パターン３１ａ〜３１ｆが設けられた側から電磁波を照射した場合は、グランドパターン２０によってアンテナ１２ａ〜１２ｌおよび追加パターン３２ａ〜３２ｆによる影響が反射波に及ばず、また、アンテナ１２ａ〜１２ｌおよび追加パターン３２ａ〜３２ｆが設けられた側から電磁波を照射した場合は、グランドパターン２０によってアンテナ１１ａ〜１１ｌおよび追加パターン３１ａ〜３１ｆによる影響が反射波に及ばない。
【００５４】
このように本形態においては、追加パターン３１ａ〜３１ｆ，３２ａ〜３２ｆのアンテナ１１ａ〜１１ｌ，１２ａ〜１２ｌに対する配置が、グランドパターン２０の表裏で互いに異なるものとなっているため、ＩＤタグ２０１のアンテナ１１ａ〜１１ｌおよび追加パターン３１ａ〜３１ｆが設けられた側から電磁波を照射してその反射波を受信した場合と、ＩＤタグ２０１のアンテナ１２ａ〜１２ｌおよび追加パターン３２ａ〜３２ｆが設けられた側から電磁波を照射してその反射波を受信した場合とで、異なるＩＤを識別可能とすることができる。
【００５５】
なお、本形態においては、追加パターン３１ａ〜３１ｆ，３２ａ〜３２ｆのアンテナ１１ａ〜１１ｌ，１２ａ〜１２ｌに対する配置が、グランドパターン２０の表裏で互いに異なるものを例に挙げて説明したが、追加パターン３１ａ〜３１ｆ，３２ａ〜３２ｆのアンテナ１１ａ〜１１ｌ，１２ａ〜１２ｌに対する配置が、グランドパターン２０の表裏で同一であった場合でも、グランドパターン２０の表裏のそれぞれに、ベース基材１０ａ，１０ｂ、アンテナ１１ａ〜１１ｌ，１２ａ〜１２ｌ、保護層３０ａ，３０ｂおよび追加パターン３１ａ〜３１ｆ，３２ａ〜３２ｆが設けられていることで、ＩＤタグ２０１の表裏のいずれからも独立してＩＤを識別することができ、ＩＤタグ２０１の一方の面に手等の誘電体が接触している場合でも、他方の面からＩＤを正確に識別することができる。
【００５６】
また、上述した実施の形態においては、アンテナ１１ａ〜１１ｌとして、互いに直交する２つの直線部がその端部にて交差するように形成されたものを例に挙げて説明したが、アンテナの形状はこれに限らず、例えば、長方形の外形を有し、その短辺の１つからスリットが長手方向に入ったもの等、グランドパターン２０に対向することで共振ピークが検出されるものであれば任意の形状のものを適用することができる。
【００５７】
また、上述した実施の形態においては、複数のアンテナの共振周波数を互いに異ならせることでＩＤを識別可能としているが、アンテナの向きを互いに異ならせることで偏波方向をアンテナ毎に異ならせ、偏波方向によってＩＤを識別可能としてもよい。その場合、偏波方向に優先順位を付与し、その優先順位に従った順序に個別ＩＤを並べることとなる。
【符号の説明】
【００５８】
１，１０１，２０１    ＩＤタグ
２    汎用タグ
１０，１０ａ，１０ｂ    ベース基材
１１ａ〜１１ｌ，１２ａ〜１２ｌ    アンテナ
２０    グランドパターン
３０ａ，３０ｂ    保護層
３１ａ〜３１ｆ，３２ａ〜３２ｆ    追加パターン
４０ａ，４０ｂ    印刷受理層
５０ａ，５０ｂ    印刷層
【図１】
2019061515.tif 000003
【図２】
2019061515.tif 000004
【図３】
2019061515.tif 000005
【図４】
2019061515.tif 000006
【図５】
2019061515.tif 000007
【図６】
2019061515.tif 000008